(57)【要約】    【課題】遊技機本体を遊技島に固定する際の作業を容易に行えるようにする。    【解決手段】遊技機本体１を固定具３９，４０により遊技島３６に固定するに際して、遊技機本体１の所定箇所に固定具３９，４０の挿通用の挿通孔４１，４２を斜め方向に設けておき、遊技機本体１の前内側からその挿通孔４１，４２に固定具３９，４０を斜め方向に挿通する。挿通孔４１，４２はその延長線上及び／又は延長線上の周囲近傍に内部部品１３〜１５のない位置に配置する。また挿通孔４１，４２は遊技機本体１に直接設けるか、間接的に設けてもよい。【選択図】図３
2016087344.tif 000002
【特許請求の範囲】
【請求項１】
遊技機本体を内部側から固定具により遊技島に固定するようにした遊技機において、
前記遊技機本体は前記固定具を斜め方向に挿通するための挿通孔を備えた
ことを特徴とする遊技機。
【請求項２】
前記挿通孔は前記固定具を前記遊技機本体の前内側から挿通可能に斜め方向に備えた
ことを特徴とする請求項１に記載の遊技機。
【請求項３】
前記遊技機本体は内部部品を収容する筐体であり、
該筐体の上部及び／又は下部に前記挿通孔を備えた
ことを特徴とする請求項１又は２に記載の遊技機。
【請求項４】
前記挿通孔は該挿通孔の延長線上及び／又は延長線上の周囲近傍に前記内部部品のない位置に配置した
ことを特徴とする請求項３に記載の遊技機。
【請求項５】
前記挿通孔は前記遊技機本体に直接又は間接的に備えた
ことを特徴とする請求項１〜４の何れかに記載の遊技機。
【請求項６】
前記遊技機本体は該遊技機本体の固定側に形成された開口と、
該開口に対応して装着され且つ前記挿通孔が形成された挿通孔部材とを備えた
ことを特徴とする請求項１〜４の何れかに記載の遊技機。
【請求項７】
前記挿通孔部材は前記開口内に配置された本体部と、
該本体部の先端側に形成され且つ前記遊技機本体から突出して前記遊技島側に当接する当接部とを備えた
ことを特徴とする請求項６に記載の遊技機。
【発明の詳細な説明】
【技術分野】
【０００１】
本発明はスロットマシン等の遊技機に関し、遊技機本体を固定具により遊技島に容易に固定できるようにしたものである。
【背景技術】
【０００２】
スロットマシン等の遊技機は、遊技機本体と、この遊技機本体の前側に開閉自在に装着された前扉とを備え、遊技機本体内には遊技図柄を変動表示する回転リール式の遊技図柄表示手段、メダルを払い出すメダル払い出し手段等の内部部品が収容されている。また前扉には遊技図柄表示手段に対応する遊技図柄表示窓、各種の操作ボタンを有する操作パネル部等が設けられている。
【０００３】
この種の遊技機を遊技島に設置する場合には、遊技機本体を遊技島の上下の取り付け部材間に挿入して、その遊技機本体の上部材及び下部材を釘、ネジ釘等の固定具により遊技島の上下の取り付け部材に固定するようにしている（特許文献１）。
【先行技術文献】
【特許文献】
【０００４】
【特許文献１】特開２００６−６８１７７号公報
【発明の概要】
【発明が解決しようとする課題】
【０００５】
遊技機の設置に際して、固定具は遊技機本体の内側から上部材、下部材を経て遊技島の上下の取り付け部材に打ち込む。しかし、遊技機本体の上部材、下部材に固定具用の挿通孔を予め形成しておくか否かは別として、従来は遊技機本体の内側から固定具を上部材、下部材に対して略垂直に打ち込んでいるため、遊技機本体内のメダル払い出し手段等の内部部品が邪魔になって作業を行い難いという問題がある。
【０００６】
本発明は、このような従来の問題点に鑑み、遊技機本体を遊技島に固定する際の作業を容易に行える遊技機を提供することを目的とする。
【課題を解決するための手段】
【０００７】
本発明は、遊技機本体を内部側から固定具により遊技島に固定するようにした遊技機において、前記遊技機本体は前記固定具を斜め方向に挿通するための挿通孔を備えたものである。
【０００８】
前記挿通孔は前記固定具を前記遊技機本体の前内側から挿通可能に斜め方向に備えてもよい。前記遊技機本体は内部部品を収容する筐体であり、該筐体の上部及び／又は下部に前記挿通孔を備えてもよい。前記挿通孔は該挿通孔の延長線上及び／又は延長線上の周囲近傍に前記内部部品のない位置に配置してもよい。前記挿通孔は前記遊技機本体に直接又は間接的に備えてもよい。
【０００９】
前記遊技機本体は該遊技機本体の固定側に形成された開口と、該開口に対応して装着され且つ前記挿通孔が形成された挿通孔部材とを備えたものでもよい。前記挿通孔部材は前記開口内に配置された本体部と、該本体部の先端側に形成され且つ前記遊技機本体から突出して前記遊技島側に当接する当接部とを備えたものでもよい。
【発明の効果】
【００１０】
本発明によれば、遊技機本体を遊技島に固定する際の作業を容易に行える利点がある。
【図面の簡単な説明】
【００１１】
【図１】本発明の第１の実施形態を示すスロットマシンの斜視図である。
【図２】同筐体側の正面図である。
【図３】同筐体側の側面断面図である。
【図４】同筐体側の平面断面図である。
【図５】同固定部分の拡大断面図である。
【図６】本発明の第２の実施形態を示し、（ａ）（ｂ）は共に固定部分の拡大断面図である。
【図７】本発明の第３の実施形態を示し、（ａ）〜（ｃ）は共に固定部分の拡大断面図である。
【図８】本発明の第４の実施形態を示し、（ａ）は固定部分の拡大断面図、（ｂ）はその底面図である。
【図９】本発明の第５の実施形態を示し、（ａ）は固定部分の拡大断面図、（ｂ）はその底面図である。
【図１０】本発明の第６の実施形態を示す固定部分の拡大断面図である。
【図１１】本発明の第７の実施形態を示し、（ａ）は固定部分の拡大断面図、（ｂ）はその底面図である。
【図１２】本発明の第８の実施形態を示す固定部分の拡大断面図である。
【発明を実施するための形態】
【００１２】
以下、本発明の各実施形態を図面に基づいて詳述する。
【００１３】
図１〜図５は本発明をスロットマシンに採用した第１の実施形態を例示する。図１〜図４において、１は遊技機本体であり、この遊技機本体１は矩形箱状の筐体２により構成されている。筐体２は天板部（上部材）３、底板部（下部材）４、側板部（側部材）５，６及び裏板部（裏部材）７を備え、前側が開放する縦長矩形状の箱形に形成されている。そして、この筐体２の前側には、左右方向の一端側のヒンジ（図示省略）を介して前扉８が開閉自在に装着されている。
【００１４】
なお、この実施形態では、天板部３、底板部４、側板部５，６及び裏板部７は木材合板等により構成されているが、合成樹脂製、金属製であってもよい。
【００１５】
筐体２内には、左右方向に３組（複数組）の図柄表示リール９ａ〜９ｃを有するリール式の遊技図柄表示手段１０が上下方向の略中央側の中間棚１１上に装着されている。また筐体２内には、底板部４上の下部にメダル払い出し手段１３とメダル補助ケース１４と電源基板ケース１５とが配置され、更に裏板部７の上部側の前面に、主制御基板１６ａを収容する主制御基板ケース１６が配置されている。
【００１６】
図柄表示リール９ａ〜９ｃは駆動モータ１７ａ〜１７ｃの駆動により左右方向の軸心廻りに個別に回転、停止可能であり、この図柄表示リール９ａ〜９ｃの回転・停止により、その外周に周方向に等間隔をおいて表示された遊技図柄が変動し停止するようになっている。なお、この遊技図柄表示手段１０は液晶式等の画像表示手段により構成して、その表示画面に表示される遊技図柄の表示画像が図柄表示リール９ａ〜９ｃの遊技図柄と同様に回転変動するように構成しても良い。
【００１７】
メダル払い出し手段１３は、図３に示すように、メダルホッパー１８内のメダルを前扉８の排出シュートを経てメダル排出口１９からメダル受け皿２０へと払い出すようになっている。メダル補助ケース１４はメダルホッパー１８から溢れたメダルを貯留するためのものである。
【００１８】
前扉８の前面側には、演出画像を表示可能な演出画像表示窓２１と遊技図柄表示窓２２とが上部側に配置され、また遊技図柄表示窓２２の下側の上下方向の中間部に操作パネル部２３が配置されている。
【００１９】
演出画像表示窓２１は前扉８の裏側に装着された液晶式等の演出画像表示手段（図示省略）の演出画像を前側から視認できるようになっている。遊技図柄表示窓２２は演出画像表示窓２１の下側で遊技図柄表示手段１０に対応して設けられ、３組の図柄表示リール９ａ〜９ｃの外周に付された多数の遊技図柄の内、遊技図柄表示窓２２に対応する３個（複数個）の遊技図柄を前側から視認できるようになっている。なお、演出画像表示窓２１と遊技図柄表示窓２２は上下逆に配置してもよい。
【００２０】
操作パネル部２３は演出画像表示窓２１の下端側から前側へと前下がり状に傾斜する上パネル部２４と、この上パネル部２４の前端側から下方へと前向き状に垂下する前パネル部２５とを備えている。
【００２１】
上パネル部２４は左右方向に長い横長平坦状であり、この上パネル部２４には、その左右方向の中央部分を除く左右一端側に１ベットボタン２７、マックスベットボタン２８及びキャンセルボタン２９等の各種の操作手段が設けられ、また他端側にメダルを投入可能なメダル投入口３０が設けられている。１ベットボタン２７、マックスベットボタン２８は、メダル投入口３０へのメダル投入に代えてクレジットからメダルをベットするためのものである。
【００２２】
前パネル部２５は左右方向に長い横長矩形状であって、上パネル部２４の前端縁と略面一状か又は若干後側で前向きに配置されている。この前パネル部２５には遊技図柄表示手段１０の図柄表示リール９ａ〜９ｃの回転を開始させるためのスタートレバー３２と、遊技図柄表示手段１０の回転中の図柄表示リール９ａ〜９ｃを個別に停止させるためのストップボタン３３ａ〜３３ｃと、メダル投入口３０内に詰まったメダルを返却させるための返却ボタン３４とが左右方向に一列状に設けられている。
【００２３】
スタートレバー３２はメダル投入口３０にメダルを投入するか、１ベットボタン２７又はマックスベットボタン２８を操作した後に操作して、各図柄表示リール９ａ〜９ｃを略同時に回転させるためのものである。ストップボタン３３ａ〜３３ｃは各図柄表示リール９ａ〜９ｃに対応して左右方向に３個あり、ボタンカバー３５の裏側にユニット状に組み込まれている。
【００２４】
筐体２は遊技島３６の上取り付け部材３７と下取り付け部材３８との間に前側から挿入され、その天板部３及び底板部４が上取り付け部材３７及び下取り付け部材３８に釘、ネジ等の固定具３９，４０により着脱自在に固定されている。上取り付け部材３７及び下取り付け部材３８には、図４、図５に示すように、前内側から固定具３９，４０を斜め方向に挿通可能な挿通孔４１，４２が設けられている。
【００２５】
この挿通孔４１，４２は前側から後側へと側面視斜め方向に形成されたおり、釘打ち機、ネジ打ち機等の電動工具、ドライバー等の手動工具、その他の工具類がメダル払い出し手段１３等の内部部品と干渉しないように、筐体２内の挿通孔４１，４２の延長線上及び／又は延長線上の周囲近傍に内部部品が配置されていない位置に設けられている。
【００２６】
例えば底板部４側の挿通孔４２の場合は、図４に示すように、メダル払い出し手段１３とメダル補助ケース１４間、メダル払い出し手段１３と電源基板ケース１５間の両方又は何れか一方に、前後方向に１個又は複数個（２〜３個程度）の挿通孔４２が直接設けられている。天板部３も同様である。
【００２７】
スロットマシンの筐体２を遊技島３６に装着する場合には、前扉８を開いた状態で筐体２の前側から取り付け作業を行うため、挿通孔４１，４２の延長線上及び／又は延長線上の周囲近傍に、前扉８の裏側に装着された部品等が筐体２内に突出した状態にあっても、取り付け作業上は何等差し支えない。また筐体２内の内部部品は、挿通孔４１，４２の前側の延長線上及び／又は延長線上の周囲近傍になければよいが、挿通孔４１，４２の前側の作業領域を十分に確保できるように、その作業領域以外の位置に配置することが望ましい。
【００２８】
なお、挿通孔４１，４２の傾斜角度Θ、固定具３９，４０の長さは、底板部４を貫通する固定具３９，４０が遊技島３６の上取り付け部材３７、下取り付け部材３８に刺さり易い角度、長さであればよい。また挿通孔４１，４２は天板部３、底板部４の左右方向の略中央位置又は左右両側の略対象位置が望ましいが、左右方向の何れか一方に偏って配置してもよい。
【００２９】
スロットマシンの筐体２を遊技島３６に装着する際には、遊技島３６の上取り付け部材３７と下取り付け部材３８との間に筐体２を挿入し下取り付け部材３８上に据えて、前扉８を前側へと開放した後、筐体２の天板部３及び底板部４を上取り付け部材３７及び下取り付け部材３８に固定具３９，４０により固定する。
【００３０】
この場合、筐体２の天板部３及び底板部４には、筐体２の前側から固定具３９，４０を斜め方向に挿入できるように所定の傾斜角度Θで挿通孔４１，４２が斜め方向に形成されているので、固定具３９，４０を筐体２の挿通孔４１，４２に容易に挿通することができ、遊技島３６に対する筐体２の固定作業を容易に行うことができる。
【００３１】
特に挿通孔４１，４２は単に斜め方向であるだけでなく、その延長線上及び延長線の周辺近傍に内部部品等の障害物のない位置に配置しており、釘打ち機、その他の工具類を使用しながら固定具３９，４０を挿通孔４１，４２に挿通するに当たっても、その工具類を筐体２内に挿入することが可能であるため、釘打ち機、その他の工具類を使用して作業を行うことができる。
【００３２】
また予め挿通孔４１，４２傾斜状に形成しておき、その挿通孔４１，４２に固定具３９，４０を挿通して筐体２を遊技島３６に固定できるため、固定具３９，４０にネジを使用した場合でも、挿通孔４１，４２の周辺部分での天板部３、底板部４の損傷を極力少なくすることができる。また固定具３９，４０にネジを使用した場合には、その取り外しが容易に可能である。
【００３３】
従って、固定具３９，４０により遊技島３６に固定した状態の筐体２を取り外した場合にも、その挿通孔４１，４２又はその近傍の挿通孔４１，４２を利用して固定具３９，４０により再度筐体２を遊技島３６に固定することも十分に可能である。
【００３４】
図６（ａ）（ｂ）は本発明の第２の実施形態を例示する。この実施形態では、天板部３（底板部４）の挿通孔４１の内端側に、挿通孔４１に釘、ネジ等の固定具３９を挿通して打ち込んだときに固定具３９の頭部３９ａが当接する受け部４４が設けられている。この受け部４４は挿通孔４１と略直角状であって、図６（ａ）に示すように凹部４５内に形成するか、又は図６（ｂ）に示すように突部４６に形成してもよい。なお、底板部４側でも同様である。他の構成は第１の実施形態と同様である。
【００３５】
筐体２の天板部３が合成樹脂製の場合には、このように挿通孔４１の内端側に受け部４４を形成することが望ましい。何故なら天板部３等が木製の場合には、固定具３９を挿通孔４１に打ち込んだときに、挿通孔４１の内端側が変形して受け部４４ができ易いので、その受け部４４に固定具３９の頭部３９ａが当接して筐体２を確実に固定することができる。しかし、天板部３等が合成樹脂製の場合には、木製に比較して受け部４４ができ難い。従って、予め受け部４４を設けておけば、その受け部４４に固定具３９の頭部３９ａが当接することにより筐体２を確実に固定することができる。
【００３６】
図７（ａ）〜（ｃ）は本発明の第３の実施形態を例示する。この実施形態では、天板部３の挿通孔４１に当接部材４８が着脱自在に挿入され、その当接部材４８を介して固定具３９が挿通されている。なお、当接部材４８は挿通孔４１に挿脱不能に挿入することも可能である。
【００３７】
当接部材４８は合成樹脂製であって、天板部３の挿通孔４１に挿通可能な筒状の本体部４８ａと、この本体部４８ａの一端側（先端側）に設けられ且つ遊技島３６の上取り付け部材３７に当接可能な当接部４８ｂと、本体部４８ａの他端側（後端側）に一体に形成された鍔部４８ｃとを有し、その本体部４８ａの略中心部の通孔４８ｄに固定具３９が挿通されている。
【００３８】
この当接部材４８には、例えば図７（ａ）〜（ｃ）の３種類がある。図７（ａ）の当接部材４８は、先端の当接部４８ｂが球面状に形成されており、固定具３９を打ち込んだときに、その当接部４８ｂの一部が上取り付け部材３７の下面に当接するようになっている。
【００３９】
図７（ｂ）の当接部材４８は、先端の当接部４８ｂが上取り付け部材３７の下面と略平行に形成されており、固定具３９を打ち込んだときに、その当接部４８ｂが上取り付け部材３７の下面に当接するようになっている。
【００４０】
図７（ｃ）の当接部材４８は、本体部４８ａの先端側の当接部４８ｂと後端側の鍔部４８ｃとが天板部３、上取り付け部材３７の下面と略平行に形成されており、固定具３９を打ち込んだときに、その当接部４８ｂが上取り付け部材３７の下面に、鍔部４８ｃが天板部３の下面に夫々当接するようになっている。
【００４１】
なお、図７（ａ）（ｂ）の当接部材４８は、鍔部４８ｃが天板部３の受け部４４に当接し、その鍔部４８ｃに固定具３９の頭部３９ａが当接している。図７（ｃ）の当接部材４８は、鍔部４８ｃが天板部３と略平行であるため、鍔部４８ｃから突出する受け部４８ｅがあり、その受け部４８ｅに固定具３９の頭部３９ａが当接している。他の構成は各実施形態と同様である。
【００４２】
このように挿通孔４１に当接部材４８を介して固定具３９を挿通して、固定具３９を打ち込んだときに、その当接部材４８の先端の当接部４８ｂが上取り付け部材３７の下面に当接するように構成すれば、天板部３を固定具３９により当接部材４８を介して上取り付け部材３７に固定できるので、筐体２の天板部３と遊技島３６の上取り付け部材３７との間の隙間による天板部３の湾曲等を防止することができる。
【００４３】
図７（ａ）の当接部材４８は当接部４８ｂが球面状であるため、方向性等を確認する必要なく挿通孔４１に挿通することができる。また図７（ｂ）の当接部材４８は斜め方向の当接部４８ｂが上取り付け部材３７の下面に略沿うように挿通孔４１に挿通すればよい。更に図７（ｃ）の当接部材４８は斜め方向の当接部４８ｂ、鍔部４８ｃが天板部３、上取り付け部材３７の下面に略沿うように挿通孔４１に挿通すればよい。
【００４４】
従って、固定具３９の挿通前に当接部材４８を挿通孔４１に挿通するに当たっても、その方向性が大きな問題となるようなこともなく、当接部材４８を挿通孔４１に容易に挿入することができる。
【００４５】
図８（ａ）（ｂ）は本発明の第４の実施形態を例示する。この実施形態では、筐体２の天板部３に略垂直方向に円形状の開口４９が形成され、この開口４９に挿通孔４１を有する挿通孔部材５０が着脱自在に嵌め込まれている。挿通孔部材５０は合成樹脂製であって、円柱状の本体部５０ａと、この本体部５０ａの両端側に設けられた当接部５０ｄ及び鍔部５０ｂと、鍔部５０ｂに突出して設けられた受け部５０ｃとを有し、その本体部５０ａに斜め方向に挿通孔４１が形成されている。なお、当接部５０ｄ、鍔部５０ｂ、受け部５０ｃは第３の実施形態の場合と略同様である等、他の構成は各実施形態と同様である。
【００４６】
筐体２の固定に際しては、先ず挿通孔部材５０の本体部５０ａを開口４９に嵌め込んで固定する。このとき挿通孔部材５０は、挿通孔４１が所定の斜め方向となるように嵌め込む。次に挿通孔部材５０の挿通孔４１に固定具３９を前内側から斜め方向に挿入して遊技島３６の上取り付け部材３７に固定する。
【００４７】
このように挿通孔４１を有する挿通孔部材５０を使用して、挿通孔部材５０を介して天板部３に間接的に挿通孔４１を設けることも可能である。この場合、固定具３９は直接的には挿通孔部材５０の挿通孔４１に挿通するが、挿通孔部材５０の鍔部５０ｂが天板部３に当接するため、この挿通孔部材５０を介して天板部３を遊技島３６の上取り付け部材３７に固定することができる。
【００４８】
また挿通孔部材５０を使用すれば、筐体２の天板部３の開口４９はその板面に略垂直に形成できるので、筐体２側の加工を容易にできる利点がある。更に挿通孔部材５０は天板部３の開口４９に対して着脱自在であるため、筐体２を取り外して再度遊技島３６に取り付ける場合には、その挿通孔部材５０を交換することにより、所定の精度で確実に固定することが可能である。
【００４９】
図９（ａ）（ｂ）は本発明の第５の実施形態を例示する。この実施形態では、筐体２の底板部４に略垂直方向に開口４９が形成され、この開口４９に挿通孔４１を有する挿通孔部材５０が着脱自在に嵌め込まれている。挿通孔部材５０は前後方向に長い長円柱状の本体部５０ａと、この本体部５０ａの両端側に設けられた鍔部５０ｂと、鍔部５０ｂに突出して設けられた受け部５０ｃとを有し、その本体部５０ａに固定具４０用の挿通孔４２が斜め方向に形成されている。
【００５０】
なお、本体部５０ａは圧入、その他で開口４９内に挿脱可能に嵌め込んでもよいし、挿脱不能に固定してもよい。このような構成の挿通孔部材５０を使用することも可能である。他の構成は各実施形態と同様である。
【００５１】
筐体２の固定に際しては、第４の実施形態と同様に、先ず挿通孔部材５０を開口４９に嵌め込んで固定する。このとき挿通孔部材５０は挿通孔４２が所定の斜め方向となるように嵌め込む。次に挿通孔部材５０の挿通孔４２に固定具４０を前内側から斜め方向に挿入して遊技島３６の下取り付け部材３８に固定する。
【００５２】
図１０は本発明の第６の実施形態を例示する。この実施形態の挿通孔部材５０は、本体部５０ａの鍔部５０ｂ側に固定具４０の頭部４０ａが当接する受け部５０ｃが凹入状に形成され、また本体部５０ａの先端に当接部５０ｄが設けられている。他の構成は第５の実施形態と同様である。
【００５３】
このような構成の挿通孔部材５０を採用することも可能である。本体部５０ａに当接部５０ｄを設ける場合には、その反対側で固定具４０の頭部４０ａを受ける受け部５０ｃは凹入状に構成することも可能である。なお、当接部５０ｄをなくして、本体部５０ａと下取り付け部材３８との間に隙間を設けることも可能でる。
【００５４】
図１１（ａ）（ｂ）は本発明の第７の実施形態を例示する。この実施形態の挿通孔部材５０は、前後方向に長い長円筒状の本体部５０ａと、この本体部５０ａの一端側に鍔部５０ｂと受け部５０ｃとが設けられている。本体部５０ａの内部は前後方向に長い長孔５０ｅとなっており、また受け部５０ｃ側には挿通孔４２が長孔５０ｅに連通して斜め方向に設けられている。なお、本体部５０ａは当接部５０ｄを有する。他の構成は各実施形態と同様である。
【００５５】
筐体２の固定に際しては、各実施形態と同様に、挿通孔４２に斜め方向に固定具４０を挿通すれば、その固定具４０により底板部４を下取り付け部材３８に容易に固定することができる。従って、挿通孔部材５０の挿通孔４２は、その本体部５０ａの下取り付け部材３８と反対側である一端側に設けるだけでもよい。なお、本体部５０ａは略円筒状でもよい。また天板部３側でも同様に実施可能である。
【００５６】
図１２は本発明の第８の実施形態を例示する。この実施形態では、複数個の挿通孔部材５０が鍔部５０ｂ側の連結部５０ｆで前後方向に連結されており、その各挿通孔部材５０の本体部５０ａが底板部４の開口４９に嵌め込まれている。各挿通孔部材５０は図８の場合と略同様の構成であるが、図９〜図１１の何れかと同様に構成してもよい。
【００５７】
底板部４に前後方向に複数個の挿通孔部材５０を設ける場合には、このように複数個の挿通孔部材５０を前後方向に連結しておき、その各挿通孔部材５０の本体部５０ａを底板部４の開口４９に嵌め込むようにしてもよい。
【００５８】
なお、底板部４に前後方向に長い開口４９を設けて、前後方向に長い挿通孔部材５０をその開口４９に装着し、その挿通孔部材５０に前後方向に複数個の挿通孔４２を設けることも可能である。
【００５９】
以上、本発明の各実施形態について詳述したが、本発明はこの実施形態にに限定されるものではなく、本発明の趣旨を逸脱しない範囲で種々の変更が可能である。各実施形態では、遊技機本体１としてスロットマシンの筐体２を例示しているが、筐体２以外のものでもよい。例えば、遊技機がパチンコ機の場合には外枠が遊技機本体１を構成することになるが、その外枠も固定具３９，４０で遊技島３６に固定することから、筐体２の場合と同様に実施することが可能である。
【００６０】
固定具３９，４０による遊技機本体１の遊技島３６への固定は、上部材、下部材の内、その何れか一方でもよいし、両方でもよい。また遊技機本体１に挿通孔４１，４２を形成するに当たっては、遊技機本体１自体の所定箇所に直接形成してもよいし、挿通孔部材５０を介して遊技機本体１の所定箇所に間接的に形成してもよい。挿通孔部材５０は遊技機本体１の開口４９に嵌め込んでもよいし、遊技機本体１の内側面に開口４９に対応して固定又は着脱自在に装着してもよい。
【００６１】
挿通孔４１，４２はその延長線上及び／又は延長線上の周囲近傍に内部部品のない位置に配置することが望ましいが、使用工具の種類に応じてその位置を選択することも可能である。また使用工具の種類による制約を避ける上からは、挿通孔４１，４２の延長線上の周囲近傍に内部部品がないことが望ましい。
【００６２】
遊技機本体１は木製、合成樹脂性の他、一部又は全部が金属製であってもよい。また遊技機本体１の金属製の部分に挿通孔４１，４２を形成する場合には、挿通孔４１，４２は前後方向に長い長孔状に形成してもよい。
【符号の説明】
【００６３】
１  遊技機本体
２  筐体
１３  メダル払い出し手段（内部部品）
１４  メダル補助ケース（内部部品）
１５  電源基板ケース（内部部品）
３６  遊技島
３７  上取り付け部材
３８  下取り付け部材
３９，４０  固定具
４１，４２  挿通孔
４８  当接部材
４８ａ  本体部
４８ｂ  当接部
４８ｅ  受け部
４９  開口
５０  挿通孔部材
５０ａ  本体部
５０ｃ  受け部
５０ｄ  当接部
【図１】
2016087344.tif 000003
【図２】
2016087344.tif 000004
【図３】
2016087344.tif 000005
【図４】
2016087344.tif 000006
【図５】
2016087344.tif 000007
【図６】
2016087344.tif 000008
【図７】
2016087344.tif 000009
【図８】
2016087344.tif 000010
【図９】
2016087344.tif 000011
【図１０】
2016087344.tif 000012
【図１１】
2016087344.tif 000013
【図１２】
2016087344.tif 000014